(57)【要約】【課題】像形成部で発生する廃棄対象物の浮遊を抑制することが可能な画像形成装置を提供する。【解決手段】画像形成装置１は、用紙Ｐに画像を形成する画像形成部２Ａと、画像形成部２Ａを内部に収容し、外部空気を内部に吸い込む吸込口５２、内部空気を外部に吐き出す吐出口５３、及び吸込口５２から吐出口５３に向かうとともに、感光体ドラム周辺よりも圧力が高い空気流Ｌを形成する空気流通路５４を有する第１筐体２Ｃと備える。【選択図】図３
2011107604.tif 000002
【特許請求の範囲】
【請求項１】
像保持体及び前記像保持体を露光する露光手段を有する像形成部と、
装置外から空気を吸気して前記露光手段に対して送風する第１送風部と、当該送風された空気を装置外へ吐き出すよう送風する第２送風部とを備え、
前記第１送風部の送風量が前記第２送風部の送付量よりも大きいことを特徴とする画像形成装置。
【請求項２】
前記像形成部を複数有し、
前記複数の像形成部のうち使用頻度の最も高い前記像形成部の前記露光手段が他の前記像形成部の前記露光手段よりも前記第１送風部に近い位置に配置されている請求項１に記載の画像形成装置。
【請求項３】
前記使用頻度の最も多い像形成部が黒色用である請求項２に記載の画像形成装置。
【請求項４】
像保持体及び前記像保持体を露光する露光手段を有する像形成部と、
前記像形成部を内部に収容し、外部空気を内部に吸い込む吸込口、内部空気を外部に吐き出す吐出口、及び前記吸込口から前記吐出口に向かうとともに、空気流通路を有する装置本体とを備え、
前記空気流通路の圧力が前記像保持体周辺よりも高いことを特徴とする画像形成装置。
【発明の詳細な説明】
【技術分野】
【０００１】
本発明は、画像形成装置に関する。
【背景技術】
【０００２】
従来、電子写真プロセスを用いた画像形成装置では、感光体ドラムの表面に形成された静電潜像を現像する現像器がトナークラウドを発生させ、このトナークラウドが露光器の透明部材に付着し、画像の形成に支障を来すという問題がある。
【０００３】
この問題を解決するため、現像器の近傍に排気用のダクトを配置し、トナークラウドをダクトから外部に排気する排気用ファンを設けた画像形成装置が提案されている（例えば特許文献１）。
【先行技術文献】
【特許文献】
【０００４】
【特許文献１】特開２００７−１４０２７７号公報
【発明の概要】
【発明が解決しようとする課題】
【０００５】
本発明の目的は、像形成部で発生する廃棄対象物の浮遊を抑制することが可能な画像形成装置を提供することにある。
【課題を解決するための手段】
【０００６】
本発明の一態様は、上記目的を達成するために、以下の画像形成装置を提供する。
【０００７】
［１］像保持体及び前記像保持体を露光する露光手段を有する像形成部と、装置外から空気を吸気して前記露光手段に対して送風する第１送風部と、当該送風された空気を装置外へ吐き出すよう送風する第２送風部とを備え、前記第１送風部の送風量が前記第２送風部の送付量よりも大きいことを特徴とする画像形成装置。
【０００８】
［２］前記像形成部を複数有し、前記複数の像形成部のうち使用頻度の最も高い前記像形成部の前記露光手段が他の前記像形成部の前記露光手段よりも前記第１送風部に近い位置に配置されている前記［１］に記載の画像形成装置。
【０００９】
［３］前記使用頻度の最も多い像形成部が黒色用である前記［２］に記載の画像形成装置。
【００１０】
［４］像保持体及び前記像保持体を露光する露光手段を有する像形成部と、前記像形成部を内部に収容し、外部空気を内部に吸い込む吸込口、内部空気を外部に吐き出す吐出口、及び前記吸込口から前記吐出口に向かうとともに、空気流通路を有する装置本体とを備え、
前記空気流通路の圧力が前記像保持体周辺よりも高いことを特徴とする画像形成装置。
【発明の効果】
【００１１】
請求項１、４に記載の発明によれば、像形成部で発生する廃棄対象物の浮遊を抑制することが可能となる。
【００１２】
請求項２、３に記載の発明によれば、複数の像形成部のうち使用頻度の最も高い像形成部に他の像形成部よりも外部空気が先に吹き付けられ、使用頻度の最も高い像形成部の温度上昇を他の像形成部の温度上昇よりも効率的に抑制することができる。
【図面の簡単な説明】
【００１３】
【図１】図１は、本発明の実施の形態に係る画像形成装置の概略の構成を示す正面図である。
【図２】図２は、本発明の実施の形態に係る画像形成装置における背面部の外観を示す斜視図である。
【図３】図３は、本発明の実施の形態に係る画像形成装置の要部を説明するために示す正面図である。
【発明を実施するための形態】
【００１４】
図１は、本発明の実施の形態に係る画像形成装置の概略の構成を示す。この画像形成装置１は、本体ユニット２，給紙ユニット３，定着ユニット４及び後述するフィルタユニット５，６（共に図２に示す）を備えた例えばカラープリンタに適用され、床面ＦＬ上にキャスタＣ，Ｃ，…を介して移動可能に配置されている。そして、画像形成装置１は、パーソナルコンピュータ等の上位装置から送信された画像データに画像処理部（図示せず）で画像処理を施してイエロー（Ｙ），マゼンタ（Ｍ），シアン（Ｃ），ブラック（Ｋ），Ｘ１，Ｘ２の各色の画像データに変換した後、Ｙ，Ｍ，Ｃ，Ｋ，Ｘ１，Ｘ２の各色の画像データに基づいてカラー画像を記録媒体としての用紙Ｐに形成するように構成されている。
【００１５】
Ｘ１，Ｘ２としては、Ｙ，Ｍ，Ｃ，Ｋ色以外の色であり、例えば中間色や特殊な黒色が用いられる。記録媒体としては、用紙Ｐの他にＯＨＰ（overhead projector）シート等の樹脂シートを用いてもよい。
【００１６】
（本体ユニット２の構成）
本体ユニット２は、用紙Ｐに画像を形成する画像形成部２Ａ、この画像形成部２Ａに用紙Ｐを供給する用紙供給部２Ｂ、及び用紙供給部２Ｂ，画像形成部２Ａを内部に収容する装置本体としての第１筐体２Ｃを有し、給紙ユニット３と定着ユニット４との間に介在して配置されている。
【００１７】
画像形成部２Ａは、Ｙ，Ｍ，Ｃ，Ｋ，Ｘ１，Ｘ２の各色の画像を形成する複数（実施の形態ではＹ，Ｍ，Ｃ，Ｋ，Ｘ１，Ｘ２の各色に対応して６個）の像形成部を構成し、Ｙ，Ｍ，Ｃ，Ｋ，Ｘ１，Ｘ２の各色のトナー像が形成される感光体ドラム２０Ｙ，２０Ｍ，２０Ｃ，２０Ｋ，２０Ｘ１，２０Ｘ２と、これら感光体ドラム２０Ｙ〜２０Ｘ２を帯電する帯電器２１Ｙ，２１Ｍ，２１Ｃ，２１Ｋ，２１Ｘ１，２１Ｘ２と、これら帯電器２１Ｙ〜２１Ｘ２によって帯電された感光体ドラム２０Ｙ〜２０Ｘ２を露光する露光器２２Ｙ，２２Ｍ，２２Ｃ，２２Ｋ，２２Ｘ１，２２Ｘ２と、これら露光器２２Ｙ〜２２Ｘ２によって形成された感光体ドラム２０Ｙ〜２０Ｘ２上の静電潜像をＹ，Ｍ，Ｃ，Ｋ，Ｘ１，Ｘ２の各色のトナー像で現像する現像器２３Ｙ，２３Ｍ，２３Ｃ，２３Ｋ，２３Ｘ１，２３Ｘ２とを備えている。
【００１８】
感光体ドラム２０Ｙ，２０Ｍ，２０Ｃ，２０Ｋ，２０Ｘ１，２０Ｘ２は、それぞれが表面に感光層を有し、第１筐体２Ｃ内に矢印Ｒ方向に回転可能に配置されている。
【００１９】
帯電器２１Ｙ，２１Ｍ，２１Ｃ，２１Ｋ，２１Ｘ１，２１Ｘ２は、それぞれが対応する感光体ドラム２０Ｙ，２０Ｍ，２０Ｃ，２０Ｋ，２０Ｘ１，２０Ｘ２の周囲に配置され、露光前の感光体ドラム２０Ｙ〜２０Ｘ２を帯電するように構成されている。
【００２０】
露光器２２Ｙ，２２Ｍ，２２Ｃ，２２Ｋ，２２Ｘ１，２２Ｘ２は、それぞれが対応する感光体ドラム２０Ｙ，２０Ｍ，２０Ｃ，２０Ｋ，２０Ｘ１，２０Ｘ２の上方に配置されている。そして、露光器２２Ｙ〜２２Ｘ２は、感光体ドラム２０Ｙ〜２０Ｘ２にＹ〜Ｘ２の各色の画像データに基づいて変調された露光光を照射してＹ〜Ｘ２の各色の静電潜像を形成するように構成されている。
【００２１】
現像器２３Ｙ，２３Ｍ，２３Ｃ，２３Ｋ，２３Ｘ１，２３Ｘ２は、それぞれが対応する感光体ドラム２０Ｙ，２０Ｍ，２０Ｃ，２０Ｋ，２０Ｘ１，２０Ｘ２の周囲に配置されている。
【００２２】
また、画像形成部２Ａは、感光体ドラム２０Ｙ，２０Ｍ，２０Ｃ，２０Ｋ，２０Ｘ１，２０Ｘ２の表面に接触する中間転写ベルト２４と、感光体ドラム２０Ｙ，２０Ｍ，２０Ｃ，２０Ｋ，２０Ｘ１，２０Ｘ２の表面にそれぞれ形成されたＹ，Ｍ，Ｃ，Ｋ，Ｘ１，Ｘ２の各色のトナー像を中間転写ベルト２４に一次転写する一次転写装置２５Ｙ，２５Ｍ，２５Ｃ，２５Ｋ，２５Ｘ１，２５Ｘ２と、中間転写ベルト２４を駆動する駆動ロール２６と、中間転写ベルト２４を所定の張力で回転可能に支持する支持ロール２７Ａ〜２７Ｄと、中間転写ベルト２４に転写されたトナー像を用紙Ｐに二次転写する二次転写装置２８とを備えている。
【００２３】
画像形成部２Ａの上方には、Ｙ，Ｍ，Ｃ，Ｋ，Ｘ１，Ｘ２の各色のトナーを収容するトナー供給部としてのトナーボトル２９Ｙ，２９Ｍ，２９Ｃ，２９Ｋ，２９Ｘ１，２９Ｘ２が配置されている。これにより、トナーボトル２９Ｙ〜２９Ｘ２から現像器２３Ｙ〜２３Ｘ２にＹ〜Ｘ２の各色のトナーが供給される。
【００２４】
中間転写ベルト２４は、無端ベルトからなり、一次転写装置２５Ｙ，２５Ｍ，２５Ｃ，２５Ｋ，２５Ｘ１，２５Ｘ２と感光体ドラム２０Ｙ，２０Ｍ，２０Ｃ，２０Ｋ，２０Ｘ１，２０Ｘ２との間に介在して配置され、かつ駆動ロール２６及び支持ロール２７Ａ〜２７Ｄに掛け渡されている。そして、中間転写ベルト２４は、駆動ロール２６によって矢印ａ方向に循環移動するように構成されている。中間転写ベルト２４のドラム接触側には、感光体ドラム２０Ｙ，２０Ｍ，２０Ｃ，２０Ｋ，２０Ｘ１，２０Ｘ２を除電する除電装置３０Ｙ,３０Ｍ，３０Ｃ，３０Ｋ，３０Ｘ１，３０Ｘ２、及び一次転写後の感光体ドラム２０Ｙ，２０Ｍ，２０Ｃ，２０Ｋ，２０Ｘ１，２０Ｘ２に残留する残留トナーを除去するドラム清掃装置３１Ｙ，３１Ｍ，３１Ｃ，３１Ｋ，３１Ｘ１，３１Ｘ２が配置されている。このドラム清掃装置３１Ｙ〜３１Ｘ２で除去された残留トナーは、トナー回収経路（図示せず）を介して第１筐体２Ｃ外に回収される。
【００２５】
一次転写装置２５Ｙ，２５Ｍ，２５Ｃ，２５Ｋ，２５Ｘ１，２５Ｘ２は、それぞれが対応する感光体ドラム２０Ｙ，２０Ｍ，２０Ｃ，２０Ｋ，２０Ｘ１，２０Ｘ２の表面に中間転写ベルト２４を圧接する一次転写ロールからなり、中間転写ベルト２４の内側に回転可能に配置されている。そして、一次転写装置２５Ｙ〜２５Ｘ２は、感光体ドラム２０Ｙ〜２０Ｘ２のトナー像を中間転写ベルト２４に一次転写するように構成されている。
【００２６】
駆動ロール２６は、中間転写ベルト２４の内側に回転可能に配置されている。そして、駆動ロール２６は、矢印Ｑ方向への回転によって中間転写ベルト２４を矢印ａ方向に循環移動させるように構成されている。
【００２７】
支持ロール２７Ａ〜２７Ｄは、従動ロールからなり、駆動ロール２６と同様に中間転写ベルト２４の内側に回転可能に配置されている。支持ロール２７Ａ〜２７Ｄのうち支持ロール２７Ａ，２７Ｂは一次転写面形成ロールとして、支持ロール２７Ｃはテンションロールとして、また支持ロール２７Ｄは二次転写装置２８のバックアップロールとしてそれぞれ機能する。
【００２８】
二次転写装置２８は、転写ベルト装置からなり、中間転写ベルト２４の外側に配置されている。そして、二次転写装置２８は、中間転写ベルト２４上のトナー像を用紙Ｐに二次転写するように構成されている。二次転写装置２８の用紙搬送側には、用紙Ｐの搬送方向に沿って並列する搬送ユニット３２〜３４が配置されている。搬送ユニット３２〜３４のうち搬送ユニット３２，３３は本体ユニット２内における用紙Ｐを吸着しながら矢印ｂ方向に搬送する搬送ベルトコンベアとして、また搬送ユニット３４は本体ユニット２と定着ユニット４との間に跨って用紙Ｐを矢印ｂ方向に搬送する搬送ベルトコンベアとしてそれぞれ機能する。
【００２９】
用紙供給部２Ｂは、用紙Ｐを内部に収容する用紙スタッカ３５，３５と、これら用紙スタッカ３５，３５に収容された用紙Ｐを１枚ずつ捌く１対の捌きロール３６，３６とを有し、画像形成部２Ａの下方に配置されている。用紙供給部２Ｂの下流側には、画像形成のタイミングに同期して駆動される１対のレジロール３７，３７、及びこれら１対のレジロール３７，３７から二次転写装置２８に向かって用紙Ｐを矢印ｃ方向に搬送する搬送ロール３８，３８，…が配置されている。第１筐体２Ｃの詳細については後述する。
【００３０】
（給紙ユニット３の構成）
給紙ユニット３は、本体ユニット２の画像形成部２Ａに用紙Ｐを供給する用紙供給部３Ａ、及びこの用紙供給部３Ａを内部に収容する第２筐体３Ｂを有し、本体ユニット２の一方側（図１の左側）に配置されている。
【００３１】
用紙供給部３Ａは、用紙Ｐを内部に積載する給紙トレイ３９，３９、及びこれら給紙トレイ３９，３９から送出された用紙Ｐを１枚ずつ捌く１対の捌きロール４０，４０とを有している。用紙供給部３Ａの下流側には、画像形成のタイミングに同期して駆動される１対のレジロール４１，４１が配置されている。
【００３２】
第２筐体３Ｂは、用紙供給部３Ａから本体ユニット２に向かう搬送経路３０Ｂを内部に有し、床面ＦＬ上にキャスタＣ，Ｃ，…を介して移動可能に配置されている。
【００３３】
（定着ユニット４の構成）
定着ユニット４は、図１に示すように、用紙Ｐに転写されたトナー像を加熱溶融して定着する定着部４Ａ、この定着部４Ａで定着された用紙Ｐを冷却する冷却部４Ｂ、及びこの冷却部４Ｂ，定着部４Ａを内部に収容する第３筐体４Ｃを有し、本体ユニット２の他方側（図１の右側）に配置されている。
【００３４】
定着部４Ａは、加熱ロール４２及び加圧ロール４３を有し、搬送ユニット３４と冷却部４Ｂとの間に配置されている。
【００３５】
冷却部４Ｂは、用紙を矢印ｄ方向に搬送する搬送ユニット４４，４５、及びこれら搬送ユニット４４，４５によって搬送される用紙Ｐを冷却する冷却器４６を有し、定着部４Ａの下流側に配置されている。冷却部４Ｂの下流側には、定着ユニット４内の用紙Ｐを定着ユニット４外に排出する排出ロール４７，４７が配置されている。
【００３６】
第３筐体４Ｃは、搬送ユニット３４から定着部４Ａ及び冷却部４Ｂを介して排出ロール４７，４７に至る搬送経路４０Ｃを内部に有し、床面ＦＬにキャスタＣ，Ｃ，…を介して移動可能に配置されている。
【００３７】
（フィルタユニット５，６の構成）
図２は、画像形成装置１の背面部を示す。フィルタユニット５は、フィルタ収容箱４８を有し、本体ユニット２の背面側に配置されている。
【００３８】
フィルタ収容箱４８は、外部空気を内部に吸い込む吸込口４８ａ，４９Ｙ〜４９Ｋ、及び内部空気を外部に吐き出す吐出口４８ｂを有し、床面ＦＬ上にキャスタＣ，Ｃ，…を介して移動可能に配置されている。吸込口４８ａ，４９Ｙ〜４９Ｋはフィルタ収容箱４８の背面側に、また吐出口４８ｂはフィルタ収容箱４８の天井面側にそれぞれ開口されている。
【００３９】
フィルタ収容箱４８には、画像形成部２Ａの駆動によって発生する廃棄対象物としてのトナークラウドを捕捉するクラウドフィルタ、及び画像形成部２Ａの駆動によって発生する廃棄対象物としてのオゾン（Ｏ３）を捕捉して分解するオゾンフィルタ（共に図示せず）が内蔵されている。また、フィルタ収容箱４８には、クラウドフィルタ及びオゾンフィルタの通過後における内部空気を外部に排出する排出口（図示せず）が設けられている。排出口は、フィルタ収容箱４８の底面側に開口されている。
【００４０】
一方、フィルタユニット６は、フィルタ収容箱５０を有し、フィルタユニット５の側方に並列して本体ユニット２の背面側に配置されている。
【００４１】
フィルタ収容箱５０は、外部空気を内部に吸い込む吸込口５０ａ，５１Ｘ１，５１Ｘ２、及び内部空気を外部に吐き出す吐出口５０ｂを有し、床面ＦＬ上にキャスタＣ，Ｃ，…を介して移動可能に配置されている。吸込口５０ａ，５１Ｘ１，５１Ｘ２はフィルタ収容箱５０の背面側に、また吐出口５０ｂはフィルタ収容箱５０の天井面側にそれぞれ開口されている。
【００４２】
フィルタ収容箱５０には、画像形成部２Ａの駆動によって発生する廃棄対象物としてのトナークラウドを捕捉するクラウドフィルタ、及び画像形成部２Ａの駆動によって発生する廃棄対象物としてのオゾン（Ｏ３）を捕捉して分解するオゾンフィルタ（共に図示せず）が内蔵されている。また、フィルタ収容箱５０には、クラウドフィルタ及びオゾンフィルタの通過後における内部空気を外部に排出する排出口（図示せず）が設けられている。排出口は、フィルタ収容箱５０の底面側に開口されている。
【００４３】
次に、本発明の実施の形態に係る画像形成装置における本体ユニットの第１筐体につき、図３を用いて説明する。図３は第１筐体の内部を示す。図３に示すように、第１筐体２Ｃは、内部に収容空間２００Ｃを有し、床面ＦＬ上にキャスタＣ，Ｃ，…を介して移動可能に配置されている。そして、第１筐体２Ｃは、画像形成部２Ａ及び用紙供給部２Ｂ（共に図１に示す）等を収容空間２００Ｃに収容するように構成されている。
【００４４】
第１筐体２Ｃには、外部空気を内部に吸い込む吸込口５２、及びこの吸込口５２から吸い込まれた外部空気を画像形成部２Ａ（各像形成部）の冷却後に外部に吐き出す吐出口５３と、内部の発熱を放出する吐出口５７Ｙ，５７Ｍ，５７Ｃ，５７Ｋ，５７Ｘ１，５７Ｘ２が設けられている。上述したように、吸込口５２は第１筐体２Ｃにおける一方側（給紙ユニット側）の側面に、また吐出口５３は第１筐体２Ｃにおける他方側（定着ユニット側）の上面に、吐出口５７Ｙ〜５７Ｘ２は第１筐体２Ｃの上面にそれぞれ開口されている。
【００４５】
第１筐体２Ｃの収容空間２００Ｃには、画像形成部２Ａとトナーボトル２９Ｙ，２９Ｍ，２９Ｃ，２９Ｋ，２９Ｘ１，２９Ｘ２との間に吸込口５２から吐出口５３に向かうとともに、大気圧よりも高圧状態の空気流Ｌを形成するための空気流通路５４が設けられている。
【００４６】
（空気流通路５４の構成）
空気流通路５４は、画像形成部２Ａで発生する発生熱を外部に排出するとともに、画像形成部２Ａで発生するトナークラウドを像形成部周辺に抑制し露光器に及ばないようにする機能を有する。
【００４７】
空気流通路５４は、吸込口５２に流通するエアダクトＤ１、吐出口５３に流通するエアダクトＤ２、及びこれら両エアダクトＤ１，Ｄ２間に介在する中間部Ｄ３によって形成されている。これにより、吸込口５２からエアダクトＤ１内に吸い込まれた外部空気が中間部Ｄ３を経てエアダクトＤ２内に流入した後、吐出口５３から外部に吐き出される。このため、画像形成部２Ａで発生する発生熱を空気流Ｌと共に外部に排出することができる。エアダクトＤ１，Ｄ２は、空気流通路５４から内部空気を漏洩させない通路として中間部Ｄ３に接続されることが好ましい。
【００４８】
エアダクトＤ１は、第１送風部としての吸込用の第１送風機５５を内蔵する水平部５６、及びこの水平部５６に流通する傾斜部５７を有し、空気流通路５４の一方側（給紙ユニット３側）に配置されている。
【００４９】
第１送風機５５は、吸込口５２から外部空気をエアダクトＤ１内に吸い込むための軸流送風機からなり、エアダクトＤ１の水平部５６で吸込口５２の開口面に対向する位置に配置されている。上方ではなく側面から空気を取り入れるため異物や埃などを混入させにくいとなっている。また、吸込口５２にダストフィルターを装着可能に構成している。
【００５０】
エアダクトＤ２は、第１送風機５５の送風能力と規格上同一の送風能力をもつ第２送風部としての吐出用の第２送風機５８を内蔵する垂直部５９、及びこの垂直部５９に流通する水平部６０を有し、空気流通路５４の他方側に配置されている。
【００５１】
第２送風機５８は、エアダクトＤ２内の内部空気を吐出口５３から外部に吐き出すための軸流送風機からなり、エアダクトＤ２の垂直部５９で吐出口５３の開口面に対向する位置に配置されている。第２送風機５８の吐出出力Ｏ２（例えば全出力の４０％）は、第１送風機５５の吸込出力Ｏ１（例えば全出力の７０％）よりも小さい（Ｏ１＞Ｏ２）出力に設定されている。これにより、すなわち第１送風機５５が装置内に空気を送り込む量に対し、第２送風機５８が装置内の空気を排出する量よりも多くなるので、エアダクトＤ２及びこの周りの圧力が空気流Ｌによって高くなる。これにより露光器２２Ｙ〜２２Ｘ２周辺の圧力が感光体ドラム２０Ｙ〜２０Ｘ２や現像器２３Ｙ〜２３Ｘ２周辺の圧力より高くなるので、感光体ドラム２０Ｙ〜２０Ｘ２や現像器２３Ｙ〜２３Ｘ２周辺から露光器２２Ｙ〜２２Ｘ２周辺の方向へ流れる気流の発生を抑制することができる。これにより像形成部の感光体ドラム２０Ｙ〜２０Ｘ２周辺や現像器２３Ｙ〜２３Ｘ２周辺で発生するトナークラウドが露光器２２Ｙ〜２２Ｘ２まで流れ込むのを抑制でき、露光器２１Ｙ〜２１Ｘ２側に引き込まれて露光光が透過する透明部材に付着するのが防止される。
【００５２】
なお、吸込出力Ｏ１と吐出出力Ｏ２との比は、本実施の形態では１．７５であるが、１．２以上でもよく、より好ましくは１．５以上、又は２以上である。また、送風機はそれぞれ吸込側及び吐出側にそれぞれ１つ用いたが、吸込側及び吐出側の一方又は両方に複数の送風機を用いてもよい。さらに、上記実施の形態では、第１送風機５５及び第２送風機５８の送風能力を同一としたが、吸込側の第１送風機５５の送風能力を吐出側の第２送風機５８の送風能力よりも大きいものを用いてもよい。すなわち、第１送風部の吸込出力が第２送風部の吐出出力よりも大きい出力に設定されていればよい。
【００５３】
中間部Ｄ３は、エアダクトＤ１の傾斜部５７及びエアダクトＤ２の水平部６０に流通し、かつエアダクトＤ１の水平部５６及びエアダクトＤ２の水平部６０に略平行な通路によって形成されている。中間部Ｄ３の下方には、Ｙ，Ｍ，Ｃ，Ｋ，Ｘ１，Ｘ２の各色の画像を形成する複数の像形成部のうち使用頻度の最も多い像形成部が、すなわちＫ色の画像を形成する像形成部が他の像形成部よりも吸込口５２に接近して配置されている。これにより、Ｋ色の画像を形成する像形成部に他の像形成部よりも外部空気が先に吹き付けられ、Ｋ色の画像を形成する像形成部の温度上昇を他の像形成部の温度上昇よりも効率的に抑制することができる。
【００５４】
（画像形成装置１の動作）
次に、本実施の形態に示す画像形成装置１の動作につき、図１〜図３を参照して説明する。
【００５５】
図１に示すように、本体ユニット２の用紙供給部２Ｂから用紙Ｐを供給する場合には、用紙スタッカ３５，３５内に積載された用紙Ｐをピックアップロール（図示せず）によって１枚ずつ分離し、捌きロール３６，３６から停止中のレジロール３７，３７に送出する。
【００５６】
次に、レジロール３７，３７に用紙Ｐの先端を突き当て、用紙斜め送りの修正と用紙先端の位置合わせをして用紙Ｐを待機させる。
【００５７】
ここで、給紙ユニット３の用紙供給部３Ａから用紙Ｐを供給する場合には、給紙トレイ３９，３９内に積載された用紙Ｐをピックアップロール（図示せず）によって１枚ずつ分離し、捌きロール４０，４０から停止中のレジロール４１，４１に送出する。
【００５８】
次に、レジロール４１，４１に用紙Ｐの先端を突き当て、用紙斜め送りの修正と用紙先端の位置合わせをして用紙Ｐを待機させる。
【００５９】
そして、画像形成部２Ａにおける画像形成のタイミングに同期してレジロール３７，３７又はレジロール４１，４１を回転させて二次転写装置２８に用紙Ｐを給紙し、感光体ドラム２０Ｙ，２０Ｍ，２０Ｃ，２０Ｋ，２０Ｘ１，２０Ｘ２上に形成されたトナー像を一次転写装置２５Ｙ，２５Ｍ，２５Ｃ，２５Ｋ，２５Ｘ１，２５Ｘ２で中間転写ベルト２４に一次転写した後、二次転写装置２８における支持ロール２７Ｄの位置に給紙された用紙Ｐにトナー像を二次転写する。
【００６０】
この際、図２に示すように、第１筐体２Ｃ外の外部空気が吸込口５２から第１筐体２Ｃの空気流通路５４（エアダクトＤ１）内に吸い込まれる。エアダクトＤ１内に吸い込まれた外部空気は、図３に示すように、エアダクトＤ１の水平部５６及び傾斜部５７を内部空気として流動した後、エアダクトＤ１外に流出する。エアダクトＤ１外に流出した内部空気は、空気流通路５４の中間部Ｄ３に流入して中間部Ｄ３を流動する。この場合、内部空気の流動によって画像形成部２Ａ（Ｙ，Ｍ，Ｃ，Ｋ，Ｘ１，Ｘ２の各色の画像を形成する６個の像形成部）を左側から右側に冷却するとともに、画像形成部２Ａで発生するトナークラウドの空気流通路５４の中間部Ｄ３側への引き込みを抑制し、露光器２２Ｙ〜２２Ｘ２の透明部材に付着するのが防止される。そして、中間部Ｄ３から内部空気が空気流通路５４のエアダクトＤ２内に流入し、エアダクトＤ２の水平部６０及び垂直部５９を流動した後、エアダクトＤ２外に流出する。エアダクトＤ２外に流出した内部空気は、吐出口５３から第１筐体２Ｃ外に吐き出される。
【００６１】
この後、画像形成装置１では、定着ユニット４の定着部４Ａで用紙Ｐにトナー像を定着してから、冷却部４Ｂで用紙Ｐを冷却して排出ロール４７，４７で定着ユニット４外に排出する。
【００６２】
以上、本発明の画像形成装置を上記の実施の形態に基づいて説明したが、本発明は上記の実施の形態に限定されるものではなく、その要旨を逸脱しない範囲で種々の態様において実施することが可能であり、例えば次に示すような変形も可能である。
【００６３】
（１）上記の実施の形態では、プリンタに適用する場合について説明したが、本発明はこれに限定されず、複写機又はファクシミリに適用しても勿論よく、複写機，プリンタ及びファクシミリ等のうち少なくも２つを組み合わせてなる複合機に適用してもよい。
【００６４】
（２）上記の実施の形態では、画像形成装置１が複数の感光体ドラム２０Ｙ，２０Ｍ，２０Ｃ，２０Ｋ，２０Ｘ１，２０Ｘ２を用いたカラー画像形成装置である場合について説明したが、本発明はこれに限定されず、単一の感光ドラムを用いたモノクロ画像形成装置であってもよい。
【符号の説明】
【００６５】
１…画像形成装置、
２…本体ユニット、２Ａ…画像形成部、２Ｂ…用紙供給部、２Ｃ…第１筐体、２０Ｙ，２０Ｍ，２０Ｃ，２０Ｋ，２０Ｘ１，２０Ｘ２…感光体ドラム、２１Ｙ，２１Ｍ，２１Ｃ，２１Ｋ，２１Ｘ１，２１Ｘ２…帯電器、２２Ｙ，２２Ｍ，２２Ｃ，２２Ｋ，２２Ｘ１，２２Ｘ２…露光器、２３Ｙ，２３Ｍ，２３Ｃ，２３Ｋ，２３Ｘ１，２３Ｘ２…現像器、２４…中間転写ベルト、２５Ｙ，２５Ｍ，２５Ｃ，２５Ｋ，２５Ｘ１，２５Ｘ２…一次転写ベルト、２６…駆動ロール、２７Ａ〜２７Ｄ…支持ロール、２８…二次転写装置、２９Ｙ，２９Ｍ，２９Ｃ，２９Ｋ，２９Ｘ１，２９Ｘ２…トナーボトル、３０…除電装置、３１…ドラム清掃装置、３２〜３４…搬送ユニット、３５…用紙スタッカ、３６…捌きロール、３７…レジロール、３８…搬送ロール、５７Ｙ，５７Ｍ，５７Ｃ，５７Ｋ，５７Ｘ１，５７Ｘ２…吐出口、
３…給紙ユニット、３Ａ…用紙供給部、３Ｂ…第２筐体、３０Ｂ…搬送経路、３９…給紙トレイ、４０…捌きロール、４１…レジロール、
４…定着ユニット、４Ａ…定着部、４２…加熱ロール、４３…加圧ロール、４Ｂ…冷却部、４４，４５…搬送ユニット、４６…冷却器、４７…排出ロール、４Ｃ…第３筐体、４０Ｃ…搬送経路、４８…フィルタ収容箱、４８ａ…吸込口、４８ｂ…吐出口、４９Ｙ，４９Ｍ，４９Ｃ，４９Ｋ…吸込口、５０…フィルタ収容箱、５０ａ…吸込口、５０ｂ…吐出口、５１Ｘ１，５１Ｘ２…吸込口、２００Ｃ…収容空間、５２…吸込口、５３…吐出口、５４…空気流通路、Ｄ１，Ｄ２…エアダクト、Ｄ３…中間部、５５…第１送風機、５６…水平部、５７…傾斜部、５８…第２送風機、５９…垂直部、６０…水平部、
５…フィルタユニット、６…フィルタユニット、
Ｃ…キャスタ、ＦＬ…床面、Ｐ…用紙
【図１】
2011107604.tif 000003
【図２】
2011107604.tif 000004
【図３】
2011107604.tif 000005